(57)【特許請求の範囲】
【請求項１】
遊技盤の遊技盤面に役物装置を備えた遊技機において、
役物装置が、当り遊技の契機となる入賞の可能性を付与する第１の入賞付与手段と、当り遊技の契機となる入賞の可能性を付与する第２の入賞付与手段と、役物装置の外側に位置する遊技盤面の遊技領域と役物装置に設けられた球導入路とを連通させる球入口と、始動入賞を契機として開閉されて球入口を開閉する開閉体と、振分装置とを備え、
振分装置は、開閉体の開閉動作により球入口を介して球導入路に入った球を所定個数保留するとともに球が所定個数保留されている間に球導入路に入った球を第２の入賞付与手段に送り、かつ、保留していた所定個数の球を第１の入賞付与手段に送ることを特徴とする遊技機。
【請求項２】
第１の入賞付与手段によって付与される第１の入賞の確率と第２の入賞付与手段によって付与される第２の入賞の確率とが異なる確率になるように構成されたことを特徴とする請求項１に記載の遊技機。
【請求項３】
第１の入賞付与手段によって付与される第１の入賞の確率が、第２の入賞付与手段によって付与される第２の入賞の確率よりも高い確率になるように構成されたことを特徴とする請求項１に記載の遊技機。
【発明の詳細な説明】
【技術分野】
【０００１】
本発明は、役物装置を備えた遊技機に関する。
【背景技術】
【０００２】
従来、遊技盤の遊技盤面に役物装置を備えた遊技機としてのパチンコ機において、役物装置が、役物装置の外側に位置する遊技盤の遊技領域と役物装置に設けられた球導入路とを連通させる球入口と、球が始動入賞することを契機して開閉されて当該球入口を開閉する開閉体と、開閉体の開閉動作によって導入路に入る１番目（最初）の球のみを保留する球保留手段と、球保留手段によって最初の球が保留されている間に球導入路に入った後続球を外れ球として排出する球排出手段と、球保留手段に保留されていた球をＶ入賞振分装置に送る球保留解除手段と、を備えた構成のパチンコ機が知られている。
【先行技術文献】
【特許文献】
【０００３】
【特許文献１】特開２０１１−１２５４８０号公報
【発明の概要】
【発明が解決しようとする課題】
【０００４】
従来の遊技機では、球保留手段で保留されなかった球には、当り遊技の契機となる入賞の可能性は付与されないので、遊技性に乏しいという課題があった。
本発明は、球保留手段で保留されなかった球にも当り遊技の契機となる入賞の可能性を与えることができて、遊技性を高めることができる遊技機を提供する。
【課題を解決するための手段】
【０００５】
本発明のパチンコ機は、遊技盤の遊技盤面に役物装置を備えた遊技機において、役物装置が、当り遊技の契機となる入賞の可能性を付与する第１の入賞付与手段と、当り遊技の契機となる入賞の可能性を付与する第２の入賞付与手段と、役物装置の外側に位置する遊技盤面の遊技領域と役物装置に設けられた球導入路とを連通させる球入口と、始動入賞を契機として開閉されて球入口を開閉する開閉体と、振分装置とを備え、振分装置は、開閉体の開閉動作により球入口を介して球導入路に入った球を所定個数保留するとともに球が所定個数保留されている間に球導入路に入った球を第２の入賞付与手段に送り、かつ、保留していた所定個数の球を第１の入賞付与手段に送るので、振分装置で球が保留されている間に球導入路に入った球にも入賞の可能性が付与され、当該入賞の可能性が付与される際の球の動きによる演出効果及び当該入賞への期待感を遊技者に与えることができる遊技性の高い遊技機を提供できる。
第１の入賞付与手段によって付与される第１の入賞の確率と第２の入賞付与手段によって付与される第２の入賞の確率とが異なる確率になるように構成されたので、球が第１の入賞付与手段に送られた場合と球が第２の入賞付与手段に送られた場合とで、遊技者に異なる期待感を与えることができ、より遊技性の高い遊技機を提供できる。
第１の入賞付与手段によって付与される第１の入賞の確率が、第２の入賞付与手段によって付与される第２の入賞の確率よりも高い確率になるように構成されたので、遊技者に、当該入賞の可能性を多く得ることを目標として球導入路に多くの球を導入させようとする遊技性の高い遊技機を提供できる。
【図面の簡単な説明】
【０００６】
【図１】パチンコ機の正面図（実施形態１）。
【図２】センター役物のＶ入賞構成部の詳細を示す図（実施形態１）。
【図３】第１の分岐部を示す断面図（実施形態１）。
【図４】（ａ）は第１のＶ入賞振分部の斜視図、（ｂ）は第１のＶ入賞振分部の平面図（実施形態１）。
【図５】第２の分岐構成部を示す断面図（実施形態１）。
【図６】パチンコ機の制御ブロック図（実施形態１）。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
実施形態１
図１は、遊技機の一例としてのパチンコ機１の全体正面図である。同図を用いてパチンコ機１の概略について説明する。尚、本明細書においては、図１の上下左右をパチンコ機１の上下左右と言い、図１の紙面の前側をパチンコ機１の前側、図１の紙面の裏側をパチンコ機１の裏側と言うものとする。
図１に示すように、パチンコ機１は、遊技機枠２と、遊技機枠２に着脱可能に取付けられた遊技盤３と、遊技盤３の裏面又は遊技機枠２の裏面に取付けられたＬＣＤ，ＣＲＴ，あるいは、回転ドラム式等の画像表示装置４、排出樋８０（図５参照）、払出装置１６０（図６参照）、制御装置１００（図６参照）等の裏側部品とを備える。
【０００９】
遊技機枠２は、遊技場の島と呼ばれる図外の遊技設置構造体に取付けられる外枠と呼ばれるような固定枠５と、固定枠５に開き戸状に開閉自在に取付けられた内枠と呼ばれるような開閉枠６と、開閉枠６の前側に開閉枠６に対して開き戸状に開閉自在に取付けられた前扉７及び皿構造体８とを備える。
開閉枠６は、例えば、左側のヒンジ９；９で前側横方向に片開き可能かつ着脱可能（交換可能）に固定枠５に取付けられる。
前扉７は、例えば、図外の左側上部のヒンジで前側横方向に片開き可能かつ着脱可能（交換可能）に開閉枠６に取付けられる。前扉７は、前後方向に開放された窓１０を囲む額縁形状の枠部１１を備え、ガラス又は合成樹脂からなる光透過性を有する前面パネル１２が窓１０を裏側から覆うように枠部１１の裏面に取付けられた構成である。前扉７の枠部１１の前面には、ＬＥＤ等からなる複数の装飾ランプ１５やスピーカ１６が設けられる。
皿構造体８は、例えば、左側下部の図外のヒンジで前側横方向に片開き可能かつ着脱可能（交換可能）に開閉枠６に取付けられる。皿構造体８は、発射操作機構（発射ハンドル）１３、受皿１４等を備える。閉じられた皿構造体８の裏側に位置する開閉枠６の前面の下部側には、発射装置１９が設けられる。
【００１０】
遊技盤３は、基板となるベニヤ板の一方の板面にはセルと呼ばれる樹脂製のシート状化粧材が貼着されて当該シート状化粧材の表面が遊技盤面１７となるように形成される。
遊技盤３には、遊技盤３の図外の裏面と遊技盤３の表面である遊技盤面１７とに貫通する図外の貫通孔が形成される。貫通孔は、遊技機１の前側から画像表示装置４の表示画面４ａを見えるようにするための中央貫通孔、遊技球（パチンコ球）Ｐ（以下、単に、球という）を遊技盤面１７から遊技盤３の裏面側に導くための球排出用貫通孔等である。
【００１１】
遊技盤面１７の外周端部付近には、遊技盤面１７の中心部を円中心とした円弧状のガイドレール１８が取り付けられている。
ガイドレール１８で囲まれた内側の領域における遊技盤面１７には、センター役物２０、入賞部品、盤面飾り２１、釘２２、風車２３、アウト口２４等が設けられる。
【００１２】
遊技盤３は、閉じられた前扉７の前面パネル１２の裏側に位置するように開閉枠６の前面の上部側に設けられた図外の遊技盤設置部に遊技盤面１７を前側に向けて着脱可能に取付けられる。
閉じられた皿構造体８の裏側に位置する開閉枠６の前面の下部側には、発射装置１９が設けられる。
【００１３】
センター役物２０等が設けられた遊技盤面１７と前面パネル１２との間に、発射機構１９により発射された球の飛び交う遊技領域２５が、ガイドレール１８で囲まれた内側の領域として形成される。
ガイドレール１８は、内ガイドレール１８ａと外ガイドレール１８ｂとを備え、内ガイドレール１８ａと外ガイドレール１８ｂとの間で球通路１８ｃが形成され、発射操作機構１３の操作により発射装置１９から発射された球が球通路１８ｃを経由して遊技領域２５内に導かれる。
【００１４】
役物装置としてのセンター役物２０は、ガイドレール１８で囲まれた内側の領域の遊技盤面１７における中央部と右部とを覆うように遊技盤面１７に取付けられる。
遊技盤面１７に取付けられたセンター役物２０の右側周端２６は内ガイドレール１８ａの右側レール部１８ｘに沿った形状に形成されており、センター役物２０の右側周端２６と内ガイドレール１８ａの右側レール部１８ｘとの間で球を１個ずつ流下させることの可能な右側通過路２７が形成される。
センター役物２０の左側の上部から下部に渡る左側周端２８と内ガイドレール１８ａの左側レール部１８ｙとの間の遊技盤面１７には、入賞部品、盤面飾り２１、釘２２、風車２３等が設けられて球の飛び交う遊技領域２５が形成される。
【００１５】
以下、センター役物の構成を図１乃至図６を参照しながら説明する。
図１に示すように、センター役物２０は、画像表示装置４の表示画面４ａの前側に位置される光透過性を有する透過パネル３１と、透過パネル３１の周囲を取り囲むように設けられた飾り部３２と備える。
【００１６】
飾り部３２は、Ｖ入賞構成部３３と、ステージ構成部３４とを備える。Ｖ入賞構成部３３は、球導入装置３５と、球導入路３６と、第１の分岐構成部３７と、第１のＶ入賞振分部３８と、第２の分岐構成部３９と、第２のＶ入賞振分部４０とを備える。
【００１７】
球導入装置３５は、球を遊技領域２５から球導入路３６に導入させるための装置であって、図２のように、センター役物２０の外側の遊技領域２５とセンター役物２０に設けられた球導入路３６とを連通させる球入口５１と、当該球入口５１を開閉する開閉体５２と、開閉体５２を開閉駆動する開閉体駆動装置１５１（図６参照）とを備えた構成である。
球導入路３６は、球入口５１を経由してセンター役物２０の内側に入り込んだ球を透過パネル３１の上縁３１ａ及び左縁３１ｂに沿って第１の分岐部５４に導く球通路により形成される。
【００１８】
図２；図３に示すように、第１の分岐構成部３７は、球導入路３６の終端部に設けられた第１の分岐部５４と、振分装置５５と、第１の分岐部５４から第１のＶ入賞振分部３８へと球を誘導する高確率誘導路５６と、第１の分岐部５４から第２の分岐構成部３９へと球を誘導する低確率誘導路５７とを備える。
【００１９】
図３に示すように、第１の分岐部５４は、球を高確率誘導路５６側に誘導する一方誘導口５８と、球を低確率誘導路５７側に誘導する他方誘導口５９とを備える。
一方誘導口５８はセンター役物２０の裏に近い側に設けられ、他方誘導口５９は一方誘導口５８よりも前側に設けられる。即ち、他方誘導口５９及び一方誘導口５８は遊技盤３の前裏方向に並ぶように設けられる。
【００２０】
振分装置５５は、一方誘導口５８に設けられて始動入賞を契機とした開閉体５２の１回又は複数回の開閉動作の間に球入口５１を経由して球導入路３６内に導入された最初の球を一方誘導口５８の直前で止めるストッパー６１と、ストッパー６１で最初の球が止められている間に球入口５１を経由して球導入路３６内に導入された２個目以降の球を他方誘導口５９に導く誘導部材６２と、一方誘導口５８を開閉するようにストッパー６１を駆動するソレノイド等のストッパー駆動装置６３とを備える。
ストッパー６１は、一方誘導口５８を開閉する板部材である。
誘導部材６２は、一方誘導口５８と他方誘導口５９との分岐点に設けられて、一方誘導口５８側から他方誘導口５９側に向けて下って傾斜する傾斜面６４を備える。誘導部材６２の傾斜面６４は、ストッパー６１で止められた球の上端よりも低い位置に設けられる。
最初の球がストッパー６１で止められている間に２個目以降の後続の球が第１の分岐部５４に到達した場合には、図３の点線の球Ｐで示すように、２個目以降の球がストッパー６１で止められている最初の球に衝突して誘導部材６２の傾斜面６４に移動し、傾斜面６４上を流下して他方誘導口５９経由で低確率誘導路５７に流れる。
【００２１】
即ち、振分装置５５は、開閉体５２の開閉動作により球入口５１を介して球導入路３６に入った球をストッパー６１で保留するとともに当該球がストッパー６１で保留されている間に球導入路３６に入った球を誘導部材６２により第２の入賞付与手段の導入路である低確率誘導路５７に送り、かつ、ストッパー６１で保留していた球を開放して第１の入賞付与手段の導入路である高確率誘導路５６に送る装置である。
【００２２】
尚、例えば、球導入路３６に導入された球がストッパー６１で保留されている球に衝突して低確率誘導路５７に送られた後にストッパー６１による一方誘導口５８の閉鎖を解除することができるように、後述する主制御部１０１が開閉体駆動装置１５１に開閉体５２の駆動制御信号を出力してから所定時間経過後にストッパー駆動装置６３にストッパー６１の解除信号を出力するように構成される。
【００２３】
図４に示すように、第１のＶ入賞振分部３８は、透過パネル３１の下縁３１ｃから遊技機１の前側の方向に下るように傾斜して延長する傾斜面６５に形成された上部開口の凹部６６と、凹部６６に回転可能に設けられた振分回転体６７と、凹部６６の底面６８に形成された外れ孔６９及びＶ入賞孔７０と、モータ等の振分回転体駆動装置１５２（図６参照）とを備えた構成である。
振分回転体６７は、円板体の円周縁部に円板体の円周縁から円の中心に向けて窪むように円板体の円周縁部が除去されてなる円弧状の溝を複数個備えた構成である。
振分回転体６７は、振分回転体６７の裏面と上記凹部６６の底面６８とが平行となるように当該凹部６６内に収容されて当該振分回転体６７の中心（振分回転体６７の元の円板体の円の中心）を回転中心として回転可能に構成される。
振分回転体６７の互いに隣り合う一方の溝と他方の溝との関係は、例えば、一方の溝の中心と振分回転体６７の中心とを繋ぐ線と他方の溝の中心と振分回転体６７の中心とを繋ぐ線との角度が４５°となるように、８個の溝が周縁部の周方向に等間隔に設けられ、８個の溝のうち、１個の溝がＶ入賞用の溝７２に形成され、他の溝は外れ用の溝７１に形成される。
【００２４】
例えば、図４（ｂ）に示すように、Ｖ入賞用の溝７２は、溝の深さが外れ用の溝７１よりも浅く形成される。
外れ孔６９は、外れの球を排出する図外の球回収樋への球入口となる孔であり、外れ用の溝７１の底に収容される球を落下させることができる位置及び大きさに形成される。
Ｖ入賞孔７０は、第１のＶ入賞球検出器１２１（図６参照）が設置された図外の入賞球回収樋への球入口となる孔であり、Ｖ入賞用の溝７２の底に収容される球を落下させることができる位置及び大きさに形成される。
即ち、図４（ｂ）において、例えば、振分回転体６７が時計回り方向に回転するとした場合、球取込口６６ａを経由して外れ用の溝７１の底に収容された球は必ず外れ孔６９に入り、Ｖ入賞用の溝７２の底に収容された球は、点線で示す球Ｐのように外れ孔６９に入らない位置を通過してＶ入賞孔７０に入るように構成される。
【００２５】
高確率誘導路５６は、ストッパー６１で保留された後にストッパー６１から開放された球を第１のＶ入賞振分部３８に導くために球通路である。
高確率誘導路５６は、傾斜面６５に形成された溝路５６ａ（図４（ａ）参照）と、当該溝路５６ａの入口５６ｂと一方誘導口５８とを連通させる連通路５６ｃ（図３参照）とにより形成され、当該溝路５６ａの底面５６ｅ（図４（ａ）参照）は、第１のＶ入賞振分部３８の方向に向けて下るように傾斜する傾斜面に形成される。
高確率誘導路５６を備えたことにより、ストッパー６１で止められた後にストッパー６１から開放された球は一方誘導口５８及び連通路５６ｃを通過して溝路５６ａの入口５６ｂ（図３参照）に落下した後、溝路５６ａの底面５６ｅ上を流下して第１のＶ入賞振分部３８に到達する（図４（ａ）参照）。
【００２６】
低確率誘導路５７は、第１の分岐部５４にて第１のＶ入賞振分部３８に振り分けられなかった球を第２の分岐構成部３９に誘導するために、傾斜面６５の前側下端縁に沿って遊技盤面１７の右側に下るように傾斜する球通路により形成される。
【００２７】
図２；図５に示すように、第２の分岐構成部３９は、低確率誘導路５７の終端部に設けられた第２の分岐部７５と、低確率昇降装置７６と、低確率昇降装置７６の動作により送られてくる球を第２のＶ入賞振分部４０へと誘導する最終誘導構成部７７と備える。
【００２８】
図５に示すように、第２の分岐部７５は、球を外れ球の排出樋８０に誘導する排出口７８と、球を第２のＶ入賞振分部４０への最終誘導構成部７７に誘導する誘導口７９とを備える。
排出口７８は、低確率誘導路５７の終端部においてセンター役物２０の裏面に近い側の壁に開口されて排出樋８０に連通する孔により形成される。
誘導口７９は、低確率誘導路５７の終端部において上側の壁に開口されて球上昇路８１に連通する孔により形成される。
【００２９】
最終誘導構成部７７は、球上昇路８１と、球中継上昇路８２と、球上昇路８１と球中継上昇路８２とを連通させる連通路８３と、球中継上昇路８２の上端部に送られてきた球を第２のＶ入賞振分部４０に誘導する最終誘導路８４と、球上昇路８１及び連通路８３を経由して球中継上昇路８２に送られてきた球を最終誘導路８４に送る中継昇降装置８５とを備える。
【００３０】
低確率昇降装置７６は、低確率誘導路５７の終端部に誘導されてくる球を球上昇路８１経由で球中継上昇路８２に送る昇降装置により構成される。
低確率昇降装置７６は、球受け台座８６と、球受け台座８６を球上昇路８１中において昇降させるソレノイド等の昇降駆動装置８７とを備える。
球受け台座８６の球受け面８８は、パチンコ機１の前側から裏側に向けて下るように傾斜する傾斜面に形成される。
排出樋８０は、パチンコ機１の前側から裏側に向けて下るように傾斜する傾斜底面８０ａを有した球通路により形成される。
【００３１】
球受け台座８６が最下位置にある場合には、球受け台座８６の球受け面８８の傾斜面と排出樋８０の傾斜底面８０ａとが連続する傾斜面を形成し、低確率誘導路５７を経由して第２の分岐部７５の球受け面８８に到達した球は、球受け面８８から排出口７８を介して排出樋８０に移動し、図外の球回収部に回収される。
【００３２】
主制御部１０１が昇降駆動装置８７を制御することによって、例えば、球受け台座８６が一定の周期で昇降するように構成される。
従って、球が低確率誘導路５７を経由して第２の分岐部７５に到達するタイミングと球受け台座８６が上昇するタイミングとが合った場合には、球が球受け台座８６の球受け面８８に乗った状態で誘導口７９を通過して球上昇路８１中に移動する。
【００３３】
球中継上昇路８２は、センター役物２０の裏面に近い側に設けられ、球上昇路８１は球中継上昇路８２よりも前側に設けられる。即ち、球上昇路８１及び球中継上昇路８２は遊技盤３の前裏方向に並ぶように設けられる。
球上昇路８１と球中継上昇路８２とを連通させる連通路８３は、パチンコ機１の前側から裏側に向けて下るように傾斜する傾斜底面８３ａを有した球通路により形成される。
【００３４】
低確率昇降装置７６の球受け台座８６が最上位置に到達した場合（図５の点線で示した球受け台座８６参照）には、球受け台座８６の球受け面８８の傾斜面と連通路８３の傾斜底面８３ａとが連続する傾斜面を形成し、低確率昇降装置７６の球受け台座８６に乗って球受け台座８６の最上位置まで上昇してきた球は、球受け台座８６の球受け面８８を流下し、連通路８３を通って、球中継上昇路８２中に移動する。
【００３５】
中継昇降装置８５は、球受け台座９０と、球受け台座９０を球中継上昇路８２中において昇降させるソレノイド等の昇降駆動装置９１とを備える。
最終誘導路８４は、中継昇降装置８５の球受け台座９０の最上位置から第２のＶ入賞振分部４０に向けて下るように傾斜する傾斜底面８４ａ（図２参照）を備えた球通路である。
中継昇降装置８５の球受け台座９０の球受け面９０ａは、最終誘導路８４の傾斜底面８４ａと同一方向に下って傾斜する傾斜面に形成される（図２参照）。
【００３６】
上記構成により、低確率昇降装置７６の球受け台座８９の球受け面８８上から連通路８３を通り、球中継上昇路８２に入って最下位置に位置する中継昇降装置８５の球受け台座９０の球受け面９０ａ上に乗る球は、中継昇降装置８５の球受け台座９０が球中継上昇路８２中を上昇して最上位置に達すると、球受け台座９０の球受け面９０ａから最終誘導路８４に移動し、最終誘導路８４を通って第２のＶ入賞振分部４０に到達する。
【００３７】
図２に示すように、第２のＶ入賞振分部４０は、最終誘導路８４の終端部においてパチンコ機１の前側から裏側の方向に向けて窪む凹部９２と、凹部９２内に回転可能に設けられた振分回転体９３と、凹部９２の底面に形成された外れ孔９４及びＶ入賞孔９５と、モータ等の振分回転駆動装置１５３（図６参照）とを備えた構成である。
振分回転体９３は、円板体の円周縁部に円板体の円周縁から円の中心に向けて窪むように円板体の円周縁部が除去されてなる円弧状の溝を複数個備えた構成である。
振分回転体９３は、振分回転体９３の裏面と上記凹部９２の底面とが平行となるように当該凹部９２内に収容されて当該振分回転体９３の中心（振分回転体９３の元の円板体の円の中心）を回転中心として回転可能に構成される。
振分回転体９３の互いに隣り合う一方の溝と他方の溝との関係は、例えば、一方の溝の中心と振分回転体９３の中心とを繋ぐ線と他方の溝の中心と振分回転体９３の中心とを繋ぐ線との角度が１２０°となるように、３個の溝が周縁部の周方向に等間隔に設けられ、３個の溝のうち、１個の溝における凹部の底面側には底板９７ａが設けられてＶ入賞用の球受入部９７に形成され、他の溝は外れ用の溝９８に形成される。
凹部９２の底面は、振分回転体９３の元の円板体の円形に対応した円底部９２ａと、円底部９２ａの外周下部に下方に延長するように設けられた入賞用底部９２ｂと、円底部９２ａの外周上右部に延長するように設けられた外れ用底部９２ｃとを備える。
入賞用底部９２ｂには、第２のＶ入賞球検出器１２２（図６参照）が設置された図外の排出樋への入口となるＶ入賞孔９５が形成される。
外れの球を排出する図外の排出樋への入口となる外れ孔９４は、外れ用底部９２ｃと円底部９２ａとに跨るように形成される。
【００３８】
振分回転体９３は、例えば、最終誘導路８４から球を受けた球受入部９７又は外れ用の溝９８が外れ孔９４の前を通過した後に入賞用底部９２ｂの上側に到達するような方向、即ち、時計回り（右回り）に回転する場合、最終誘導路８４から流下してきた球が球取込口４０ａを介してＶ入賞用の球受入部９７に入ると、球受入部９７が外れ孔９４の前側を通過する場合、底板９７ａが外れ孔９４を塞ぐので球受入部９７内の球は外れ孔９４に入らずに、さらに、振分回転体９３が回転して球受入部９７が入賞用底部９２ｂの上に到達すると、球受入部９７内の球が入賞用底部９２ｂに移動して入賞用底部９２ｂのＶ入賞孔９５に入る。
最終誘導路８４から流下してきた球が球取込口４０ａを介して外れ用の溝９８に入り、振分回転体９３が回転して外れ用の溝９８が外れ用底部９２ｃの横に位置された場合には、球が外れ用の溝９８から外れ孔９４に入る。
【００３９】
遊技者が発射操作機構１３を操作することで駆動する発射装置１９により遊技領域２５に発射された球がセンター役物２０の球入口５１を介して球導入路３６に導入された後において、第１のＶ入賞振分部３８に到達してＶ入賞となる第１の確率と、第２のＶ入賞振分部４０に到達してＶ入賞となる第２の確率との関係は、第１の確率＞第２の確率となるように構成されている。
例えば、上述したように、球が第１のＶ入賞振分部３８のＶ入賞用の溝７２に入ってＶ入賞となる第１の確率が１／８だとすると、球が第２のＶ入賞振分部４０のＶ入賞用の球受入部９７に入ってＶ入賞となる第２の確率は、球が球受け台座８６の球受け面８８に乗った状態で誘導口７９を通過して球上昇路８１中に移動する確率αと球が第２のＶ入賞振分部４０のＶ入賞用の球受入部９７に入る確率とを掛け合わせた値、即ち、（α×１／３）である。従って、第１の確率＝１／８＞第２の確率＝（α×１／３）となるように構成すればよい。例えば、確率αは１／１０となるように設定する。
【００４０】
尚、球導入路３６、低確率誘導路５７、球上昇路８１、球中継上昇路８２、最終誘導路８４を形成する球通路は、遊技者がこれら球通路内を通過する球の動きを目視可能なように、光透過性を有した前壁を備えた構成、あるいは、球通路の前側が開口された構成とすることが好ましい。
【００４１】
図１に示すように、ステージ構成部３４は、ステージ４１と、球を遊技領域２５からステージ４１に誘導するワープ路４２とを備える。
ステージ４１は、第１のＶ入賞振分部３８が位置される傾斜面６５の下縁に沿って設けられる低確率誘導路５７のさらに下方に位置するように設けられ、ワープ路４２によって案内された球が揺動する部分である。
ステージ４１は、正面視で中央が最も下に凸となる円弧状を形成し、ワープ路４２の出口４２ｂが、当該ステージ４１の左端側に位置している。また、ステージ４１の中央部は、さらに凹陥されており、この凹陥部から球が落下し易くなっている。この凹陥部は、後述する始動入賞口４４の真上に位置するように設けられていることにより、凹陥部に案内されて落下する球は、始動入賞口４４に入賞し易くなっている。
ワープ路４２の入口４２ａは、センター役物２０の左側周端２８に設けられ、球入口５１を介してセンター役物２０内に入らずに遊技領域２５を落下してくる球がワープ路４２の入口４２ａに入ると、球はワープ路４２を通ってステージ４１に到達する。
【００４２】
入賞口としては、例えば、始動入賞口４４、一般入賞口４５、アタッカーと呼ばれる大入賞口４６等が設けられている。
【００４３】
始動入賞口４４は、開閉体５２を開閉させる契機となる球の入賞を検出する入賞口であって、図外の球取込口と、球取込口を経由した球を検出する始動入賞球検出器１２４（図６参照）とを備える。
一般入賞口４５は、開閉体５２を開閉させる契機とはならない球の入賞を検出する入賞口であって、図外の球取込口と、球取込口を経由した球を検出する一般入賞球検出器１２７（図６参照）とを備える。
始動入賞口４４及び一般入賞口４５としては、例えば、遊技領域２５から球取込口を介して取り込んだ球を遊技盤３の裏側の回収樋に回収する取込型と、遊技領域２５から球取込口を介して取り込んだ球を再び遊技領域２５に排出する通過型がある。
【００４４】
大入賞口４６は、図外の球取込口と、球取込口を経由して遊技盤３の裏側の回収樋に取り込まれる球を検出する大入賞球検出器１２６（図６参照）と、球取込口を開閉する開閉扉１１６と、開閉扉駆動装置１５４（図６参照）とを備える。開閉扉１１６は、閉じた状態では、遊技盤面１７と同一平面上に位置して球取込部を塞ぎ、開いた状態では、下端を回転中心として遊技盤面１７の前方に開いて球取込部に球を導く受板として機能する。
主制御部１０１が第１のＶ入賞球検出器１２１（図６参照）又は第２のＶ入賞球検出器１２２（図６参照）からの検出信号を入力することを契機として行われる大当り遊技、あるいは、大役遊技と呼ばれる当り遊技では、主制御部１０１が開閉扉駆動装置１５４に駆動制御信号を出力することにより、例えば、開閉扉１１６が所定時間だけ開く動作が最大１５回（１５ラウンド）まで繰り返される。開閉扉１１６が開く上記所定時間は、例えば、開閉扉１１６が開いてから大入賞球検出器により球が１０個検出されるまで、又は、開閉扉１１６が開いてから２４秒経過するまでのうち、いずれか早い条件が成立するまで継続される。
【００４５】
次に、図６を用いてパチンコ機１の制御系について説明する。
パチンコ機１の制御装置１００は、主制御部１０１、演出制御部１０２、払出制御部１０３、図柄制御部１０４、発射制御部１０５を備える。
主制御部１０１には、遊技に関する基本的なプログラムが記憶されており、この主制御部１０１からの命令信号に基づいて、各部の動作が制御されるようになっている。
主制御部１０１からは盤用外部端子１１０を介して遊技店に設置される図外の管理コンピュータへ遊技の進行状態を示す情報（始動入賞信号や大当り情報信号、図柄確定回数信号）が送信される。
【００４６】
主制御部１０１には、入力系として、第１のＶ入賞振分部３８でＶ入賞した球を検出する第１のＶ入賞球検出器１２１、第２のＶ入賞振分部４０でＶ入賞した球を検出する第２のＶ入賞球検出器１２２、開閉体５２が開放したときにセンター役物２０内の球導入路３６内に導入された球を検出する導入球検出器１２３、始動入賞球検出器１２４、Ｖ入賞を逸した（外れた）球を検出する外れ球検出器１２５、大入賞口の開閉扉１１６の開動作時に入賞した球を検出する大入賞球検出器１２６、一般入賞口に入賞した球を検出する一般入賞球検出器１２７が接続されている。
球導入路３６内に導入された球は、導入球検出器１２３によってカウントされ、最終的に、Ｖ入賞球及び外れ球として回収され、それぞれの球検出器（Ｖ入賞球検出器１２１，１２２、外れ球検出器１２５）で検出された球の数と照合される。
【００４７】
主制御部１０１には、出力系として、開閉体駆動装置１５１、ストッパー駆動装置６３、第１のＶ入賞振分部３８の振分回転体駆動装置１５２、第２のＶ入賞振分部４０の振分回転体駆動装置１５３、昇降駆動装置８７、昇降駆動装置９１、開閉扉駆動装置１５４が接続されている。
【００４８】
演出制御部１０２には、装飾ランプ１５、スピーカ１６が接続されているとともに、図柄制御部１０４を介して画像表示装置４が接続されている。
演出制御部１０２は、装飾ランプ１５の点灯、消灯、及び点滅を制御し、さらに、スピーカ１６を作動させて効果音等の音声出力を制御する。また、演出制御部１０２により制御される図柄制御部１０４は、画像表示装置４の表示画面４ａに表示する演出図柄の表示制御を行う。
【００４９】
払出制御部１０３には、払出装置１６０及び発射制御部１０５が接続され、発射制御部１０５には発射装置１９が接続されている。この払出制御部１０３は、払出装置１６０を作動させて、入賞口への入賞に対する賞球又は貸し球の払い出し及び停止動作と払出数を制御する。また、発射制御部１０５は、遊技者による発射操作機構１３の操作により発射装置１９を作動させて、球の発射開始、及び、発射操作機構１３の操作量に応じた発射力を制御する。
さらに、払出制御部１０３は、枠用外部端子１１１を介して賞球又は貸球の払い出しに関する情報である払出情報を遊技店に設置された図外の管理コンピュータへ送信する。
【００５０】
実施形態１のパチンコ機１の動作を説明する。
遊技者が発射操作機構１３を操作することで駆動する発射装置１９により遊技領域２５に発射された球が入賞口に入賞せずに遊技領域２５の下端部に至った場合はアウト口２４から図外の排出樋を介して回収される。
球が各入賞口に入賞したことを球検出器から入力した主制御部１０１は、それぞれの遊技制御に基づく処理（例えば、抽選等）を実行するとともに、演出制御部１０２に対して画像表示装置４への画像表示演出、スピーカ１６を用いた音演出、装飾ランプ１５を用いた光演出等を行うよう指示する。
【００５１】
球が始動入賞口４４に入賞したことを始動入賞球検出器１２４から入力した主制御部１０１は、開閉体５２を所定時間開く開閉動作を所定回数行うように開閉体駆動装置１５１に駆動信号を出力する。開閉体５２が開いている間に遊技領域２５から球入口５１を介して球導入路３６に導入された１個目（最初）の球は一方誘導口５８側に流れてストッパー６１で止められる。開閉体５２が開いている間に遊技領域２５から球入口５１を介して球導入路３６に導入された２個目以降の後続の球はストッパー６１で止められている最初の球に衝突して誘導部材６２の傾斜面６４に移動し、傾斜面６４上を流下して他方誘導口５９経由で低確率誘導路５７に流れる。
主制御部１０１は、開閉体駆動装置１５１に駆動信号を出力した後、所定時間経過した場合に、一方誘導口５８を閉じているストッパー６１の動作を解除する駆動信号をストッパー駆動装置６３に出力する。これにより、ストッパー６１が一方誘導口５８を開き、ストッパー６１で止められていた球が、一方誘導口５８、高確率誘導路５６を経由して第１のＶ入賞振分部３８に到達する。第１のＶ入賞振分部３８に到達した球がＶ入賞用の溝７２に入って第１のＶ入賞球検出器１２１で検出された場合、主制御部１０１は第１のＶ入賞球検出器１２１からの検出信号を入力して当り遊技を実行する。
【００５２】
低確率誘導路５７に流れた球は第２の分岐部７５に到達する。球が第２の分岐部７５に到達するタイミングと球受け台座８６が上昇するタイミングとが合った場合には、球が球受け台座８６の球受け面８８に乗った状態で誘導口７９を通過して球上昇路８１中に移動する。一方、球が第２の分岐部７５に到達するタイミングと球受け台座８６が上昇するタイミングとが合わなかった場合には、第２の分岐部７５に到達した球は排出口７８を介して排出樋８０に流れ、外れ球として球回収部に回収される。
球上昇路８１中に移動した球は、連通路８３、球中継上昇路８２、最終誘導路８４を経由して第２のＶ入賞振分部４０に到達する。第２のＶ入賞振分部４０に到達した球がＶ入賞用の球受入部９７に入って第２のＶ入賞球検出器１２２で検出された場合、主制御部１０１は第２のＶ入賞球検出器１２２からの検出信号を入力して当り遊技を実行する。
【００５３】
実施形態１の役物装置としてのセンター役物２０を備えたパチンコ機１は、センター役物２０が、Ｖ入賞（当り遊技の契機となる入賞）の可能性を付与する第１の入賞付与手段と、Ｖ入賞の可能性を付与する第２の入賞付与手段と、センター役物２０の外側に位置する遊技盤面１７の遊技領域２５とセンター役物２０に設けられた球導入路３６とを連通させる球入口５１と、始動入賞を契機して開閉されて球入口５１を開閉する開閉体５２と、振分装置５５とを備え、振分装置５５は、開閉体５２の開閉動作により球入口５１を介して球導入路３６に入った球を保留するとともに球が保留されている間に球導入路３６に入った球を第２の入賞付与手段に送り、かつ、保留していた球を第１の入賞付与手段に送る構成を備えたので、振分装置５５で球が保留されている間に球導入路３６に入った後続の球にも入賞の可能性が付与され、当該入賞の可能性が付与される際の球の動きによる演出効果及び当該入賞への期待感を遊技者に与えることができる遊技性の高いパチンコ機１を提供できる。
【００５４】
また、振分装置５５により保留された球と保留されなかった後続の球との両方にＶ入賞の可能性を付与できるので、遊技者が、第２のＶ入賞振分部４０においてＶ入賞となるか否かの球の動き及びＶ入賞への期待感と、第１のＶ入賞振分部３８においてＶ入賞となるか否かの球の動き及びＶ入賞への期待感と、を連続して楽しむことができるパチンコ機１を提供できる。
特に、球導入路３６に導入された球がストッパー６１で保留されている球に衝突して低確率誘導路５７に送られた後にストッパー６１の一方誘導口５８を閉じる動作を解除するようにすることで、振分装置５５により保留されなかった後続の球がＶ入賞するか否かの遊技が始まってから所定時間経過後に、振分装置５５により保留されていた球がＶ入賞するか否かの遊技が始まるという特殊な遊技を提供できるので、遊技性の高いパチンコ機１を提供できる。
そして、遊技者としては、振分装置５５により保留された球がＶ入賞するか否かの動向と振分装置５５により保留されなかった後続の球がＶ入賞するか否かの動向とを同時期に目視できるようになるので、遊技性の高いパチンコ機１を提供できる。
【００５５】
第１の入賞付与手段は、第１のＶ入賞振分部３８により構成される。
第２の入賞付与手段は、第２の分岐構成部３９と、第２のＶ入賞振分部４０とにより構成される。
第２の分岐構成部３９は、確率αで球を第２のＶ入賞振分部に送る低確率昇降装置７６を備えたので、球受け台座８６を昇降させる一定の周期を変更することにより、確率αを自由に設定できる。
【００５６】
第１の入賞付与手段によるＶ入賞への第１の確率＞第２の入賞付与手段によるＶ入賞への第２の確率となるように構成したので、Ｖ入賞の可能性を多く得ることを目標として、球導入路３６に２個目以降の球を多く導入させようとする遊技を遊技者に行わせることができる遊技性の高いパチンコ機１を提供できる。
また、Ｖ入賞への確率の異なる第１の入賞付与手段と第２の入賞付与手段とを備えたことで、遊技者に異なる期待感を与えることができる。
【００５７】
低確率昇降装置７６と、球上昇路８１と、球中継上昇路８２と、球上昇路８１と球中継上昇路８２とを連通させる連通路８３と、球中継上昇路８２の上端に送られてきた球を第２のＶ入賞振分部４０に誘導する最終誘導路８４と、球上昇路８１及び連通路８３を経由して球中継上昇路８２に送られてきた球を最終誘導路８４に送る中継昇降装置８５とを備えたので、上昇した後に第２のＶ入賞振分部４０に向けて下るという球の動きを遊技者に見せることができ、遊技性の高いパチンコ機１を提供できる。
【００５８】
実施形態２
排出口７８を開閉するための図外の開閉部材を設け、主制御部１０１が昇降駆動装置８７を制御して球受け台座８６を上昇させる直前に排出口７８を開閉部材で閉じるようにしてもよい。つまり、排出口７８を閉じてから所定時間後に低確率昇降装置７６の球受け台座８６を上昇させる構成としてもよい。このようにすることで、球を球上昇路８１に確実に移動させることができる。
【００５９】
実施形態３
実施形態１では、第１の確率＞第２の確率となるように構成したが、第１の確率＜第２の確率となるように構成してもよい。
この場合、例えば、開閉体５２の開時間を短くして、球導入路３６に２個目以降の球が導入されにくい構成とすることで、Ｖ入賞の確率を高めるため球導入路３６に２個目以降の球を導入させることを目標とする遊技を遊技者に行わせることができるパチンコ機１を提供できる。
また、遊技者が、第２のＶ入賞振分部においてＶ入賞となるか否かの球の動き及びＶ入賞への期待感と、第１のＶ入賞振分部においてＶ入賞となるか否かの球の動き及びＶ入賞への期待感と、を連続して楽しむことができるパチンコ機１を提供でき、また、Ｖ入賞への確率の異なる第１の入賞付与手段と第２の入賞付与手段とを備えたことで、遊技者に異なる期待感を与えることができる。
【００６０】
実施形態４
実施形態１では、第１の確率＞第２の確率となるように構成したが、第１の確率＝第２の確率となるように構成してもよい。
例えば、一方誘導口５８の下流側に第１のＶ入賞振分部を設けるとともに、他方誘導口５９の下流側に第２のＶ入賞振分部を設け、これら第１のＶ入賞振分部と第２のＶ入賞振分部のＶ入賞の確率を同じ確率とすればよい。
この場合、遊技者が、第２のＶ入賞振分部においてＶ入賞となるか否かの球の動き及びＶ入賞への期待感と、第１のＶ入賞振分部においてＶ入賞となるか否かの球の動き及びＶ入賞への期待感と、を連続して楽しむことができるパチンコ機１を提供できる。
【００６１】
実施形態５
実施形態１では、球導入路３６に導入された最初の球のみを保留する振分装置５５を備えた構成を示したが、球導入路３６に導入された最初の球及び後続の数個の球を保留する振分装置を設けるようにしてもよい。この場合、第１のＶ入賞振分部３８によるＶ入賞への期待がより高まるパチンコ機１を提供できる。
【符号の説明】
【００６２】
１  パチンコ機（遊技機）、３  遊技盤、１７  遊技盤面、
２０  センター役物（役物装置）、２５  遊技領域、３６  球導入路、
３８  第１のＶ入賞振分部（第１の入賞付与手段）、
３９  第２の分岐構成部（第２の入賞付与手段）、
４０  第２のＶ入賞振分部（第２の入賞付与手段）、５１  球入口、５２  開閉体。
【図１】
0005836726.tif 000002
【図２】
0005836726.tif 000003
【図３】
0005836726.tif 000004
【図４】
0005836726.tif 000005
【図５】
0005836726.tif 000006
【図６】
0005836726.tif 000007